(57)【特許請求の範囲】
【請求項１】
口部、肩部、胴部及び底部が上方から下方に向けてこの順に連設され、前記口部にキャップが装着されたボトルであって、
前記底部の底壁部が、外周縁部に位置する接地部を備え、
前記キャップの天壁部が、前記口部よりもボトル軸に直交する径方向の外側に延在しており、
前記天壁部のうち前記口部よりも前記径方向の外側に位置する載置部には、当該ボトルとは異なる他のボトルの前記接地部が載置可能に形成されており、
前記載置部には、上方に向けて突出すると共に、上端部が前記径方向に移動するように回動可能に支持された操作片が配設されており、
前記操作片それぞれには、前記他のボトルの前記胴部の外周面に形成された係止部に着脱可能に係止する被係止部が形成されており、
前記操作片が、前記天壁部の外周縁部に配設されると共に前記天壁部に対して上下方向の両方向に突出し、
前記天壁部の外周縁部のうち前記操作片が形成されている部分を除く部分の少なくとも一部には、前記天壁部に対して上下方向の両方向に突出する周壁部が形成されており、
前記操作片の外周面及び前記周壁部の外周面それぞれの前記ボトル軸からの前記径方向の距離が、互いに同等であることを特徴とするボトル。
【請求項２】
前記操作片が、前記ボトル軸を周回する周方向に間隔をあけて複数配設されていることを特徴とする請求項１に記載のボトル。
【請求項３】
前記載置部には、前記径方向の外側に向けて開口する開口部が形成されており、
前記操作片が、前記天壁部の外周縁部に配設されており、
前記操作片には、前記径方向の内側に向けて突出し、前記開口部内に収容された舌片が形成されていることを特徴とする請求項１または２に記載のボトル。
【請求項４】
前記操作片の両周端部が、前記天壁部に回動可能に連結されており、
前記舌片が、前記操作片における前記ボトル軸を周回する周方向の中間部に形成されていることを特徴とする請求項３に記載のボトル。
【請求項５】
前記係止部が、前記径方向の内側に向けて陥没する凹部であり、
前記被係止部が、前記径方向の内側に向けて突出する突部であることを特徴とする請求項１から４のいずれか１項に記載のボトル。
【発明の詳細な説明】
【技術分野】
【０００１】
本発明は、ボトルに関する。
【背景技術】
【０００２】
この種のボトルとして、例えば下記特許文献１に記載の構成が知られている。
【先行技術文献】
【特許文献】
【０００３】
【特許文献１】実開昭５３−１４８７５８号公報
【発明の概要】
【発明が解決しようとする課題】
【０００４】
しかしながら、上記従来のボトルでは、積み重ねの安定性及び積み重ね時の着脱性を高めることについて改善の余地がある。
【０００５】
そこで、本発明は、積み重ねの安定性及び積み重ね時の着脱性を向上させたボトルを提供することを目的とする。
【課題を解決するための手段】
【０００６】
本発明は、上記課題を解決するために以下のような手段を採用した。すなわち、本発明のボトルは、口部、肩部、胴部及び底部が上方から下方に向けてこの順に連設され、前記口部にキャップが装着されたボトルであって、前記底部の底壁部が、外周縁部に位置する接地部を備え、前記キャップの天壁部が、前記口部よりもボトル軸に直交する径方向の外側に延在しており、前記天壁部のうち前記口部よりも前記径方向の外側に位置する載置部には、当該ボトルとは異なる他のボトルの前記接地部が載置可能に形成されており、前記載置部には、上方に向けて突出すると共に、上端部が前記径方向に移動するように回動可能に支持された操作片が配設されており、前記操作片それぞれには、前記他のボトルの前記胴部の外周面に形成された係止部に着脱可能に係止する被係止部が形成されており、前記操作片が、前記天壁部の外周縁部に配設されると共に前記天壁部に対して上下方向の両方向に突出し、前記天壁部の外周縁部のうち前記操作片が形成されている部分を除く部分の少なくとも一部には、前記天壁部に対して上下方向の両方向に突出する周壁部が形成されており、前記操作片の外周面及び前記周壁部の外周面それぞれの前記ボトル軸からの前記径方向の距離が、互いに同等であることを特徴とする。
【０００７】
この発明では、ボトル上に他のボトルを積み重ねたときに、下側のボトルのキャップに設けられた操作片が上側のボトルの胴部の外周面に当接または近接し、かつ、下側のボトルにおける操作片の被係止部が上側のボトルの胴部に形成された係止部に係止される。これにより、上側のボトルの下側のボトルに対する上下方向の相対変位及び径方向の相対変位が規制され、上側のボトルを下側のボトルに対して安定して積み重ねることができる。また、操作片の上端部を天壁部との連結部分を中心として径方向の外側へ回動させると、操作片の被係止部が胴部の係止部から離間し、両者の係止状態が解除される。これにより、上側のボトルを下側のボトルに対して離脱させることが可能となる。
このように、上側のボトルの係止部に下側のボトルの被係止部を係止させることによって上側のボトルの下側のボトルに対する相対変位が規制されるので、ボトルを安定して積み重ねることができると共に、操作片を操作するだけで上側のボトルを下側のボトルに対して離脱させることが可能となるので、積み重ね時のボトルの着脱性が向上する。
また、この発明では、操作片が周壁部と共に筒状の外観をなすことにより、ボトルを上下に積み重ねたときの美観を向上させることができる。また、周壁部が操作片と共に他のボトルの底部及び胴部を径方向の外側から囲繞するので、上下一対のボトルの相互間の径方向の相対変位をより確実に抑制できる。さらに、操作片のうち天壁部よりも下側の部分を径方向の内側に向けて押し込むことによって係止部と被係止部との係止状態を解除できるため、ボトルの着脱性がさらに向上する。
【０００８】
また、本発明のボトルでは、前記操作片が、前記ボトル軸を周回する周方向に間隔をあけて複数配設されてもよい。
この発明では、操作片を周方向に間隔をあけて複数配設することにより、上側のボトルの下側のボトルに対する上下方向の相対変位及び径方向の相対変位をより確実に規制できる。
【０００９】
また、本発明のボトルでは、前記載置部には、前記径方向の外側に向けて開口する開口部が形成されており、前記操作片が、前記天壁部の外周縁部に配設されており、前記操作片には、前記径方向の内側に向けて突出し、前記開口部内に収容された舌片が形成されていてもよい。
この発明では、被係止部が係止部から離反するように操作片を天壁部に対して回動させたときに、舌片が操作片と共に回動して上側のボトルの底部を押し上げるので、上側のボトルの離脱がより容易になる。
【００１０】
また、本発明のボトルでは、前記操作片の両周端部が、前記天壁部に回動可能に連結されており、前記舌片が、前記操作片における前記ボトル軸を周回する周方向の中間部に形成されていてもよい。
この発明では、操作片の両周端部が天壁部に連結されているので、操作片及び舌片の回動動作が安定する。
【００１２】
また、本発明のボトルでは、前記係止部が、前記径方向の内側に向けて陥没する凹部であり、前記被係止部が、前記径方向の内側に向けて突出する突部であってもよい。
この発明では、上側の胴部に形成された凹部に下側のキャップにおける操作片に形成された突部を係止させる。
【発明の効果】
【００１３】
この発明にかかるボトルによれば、積み重ねた状態で上側のボトルの下側のボトルに対する相対変位が規制されるので、ボトルを安定して積み重ねることができると共に、操作片を操作するだけで上側のボトルを下側のボトルに対して離脱させるので、積み重ね時のボトルの着脱性が向上する。
【図面の簡単な説明】
【００１４】
【図１】本発明の一実施形態におけるボトルを示す部分破断斜視図である。
【図２】図１のボトルを上下方向に積み重ねた状態を示す軸方向断面図である。
【図３】図１のボトルの使用方法を説明する部分拡大断面図である。
【発明を実施するための形態】
【００１５】
以下、本発明によるボトルの一実施形態を、図面に基づいて説明する。なお、以下の説明に用いる各図面では、各部材を認識可能とするために縮尺を適宜変更している。
本実施形態にかかるボトル１は、図１に示すように、円筒状の口部２、円筒状の肩部３、円筒状の胴部４及び有底円筒状の底部５がこの順に連設されて構成されたボトル本体６と、口部２に装着された有頂円筒状のキャップ７と、を備えている。ここで、ボトル本体６は、射出成形により有底筒状に形成された合成樹脂材料からなるプリフォームをブロー成形することによって形成されている。なお、ボトル本体６及びキャップ７は、合成樹脂材料以外の、金属など他の材料で形成されてもよい。
【００１６】
これら口部２、肩部３、胴部４、底部５及びキャップ７は、それぞれの中心軸線が共通軸上に位置した状態で配設されている。以下、この共通軸をボトル軸Ｏと称し、図１においてボトル軸Ｏに沿って底部５から口部２に向かう方向を上方、その逆方向を下方とする。また、ボトル軸Ｏから見た平面視でボトル軸Ｏに直交する方向を径方向、ボトル軸Ｏ回りで周回する方向を周方向とする。
【００１７】
口部２の上端部の外周面には、雄ネジ部が形成されており、キャップ７が装着されている。また、口部２の下端部には、径方向外側に向けて平面視で円環状のネックリング２Ａ（図２参照）が全周にわたって突設されている。
肩部３の内径及び外径は、上方から下方に向かうにしたがって漸次径方向外側に向けて広がっている。
胴部４の内径及び外径は、下端部を除いて、上下方向にわたって同等となっており、胴部４の下端部には、径方向内側に向けて窪む係止凹部（係止部）４Ａが全周にわたって形成されている。なお、係止凹部４Ａは、胴部４の全周にわたって形成されている必要はない。
底部５は、上端縁が胴部４の係止凹部４Ａの下端縁に連設された円筒状のヒール部８と、ヒール部８の下端縁に連設された底壁部９と、を備えている。底壁部９は、外周縁部に位置する平面視で円環状の接地部９Ａ（図２参照）と、接地部９Ａよりも径方向内側に位置して上方に向けて陥没する有頂円筒状の陥没部９Ｂ（図２参照）と、を有する。陥没部９Ｂは、底壁部９の中央部に配設されている。
【００１８】
キャップ７は、平面視で円状をなす板状部材である天壁部１１と、円筒状の内筒部１２と、天壁部１１の外周縁部に連結された２つの操作片１３と、天壁部１１の外周縁部に配設され、周方向で２つの操作片１３間に配設された周壁部１４と、を有する。これら天壁部１１及び内筒部１２は、ボトル軸Ｏと同軸に配設されている。
【００１９】
天壁部１１のうち口部２よりも径方向外側に位置する部分は、他のボトル１の接地部９Ａが載置可能な載置部１１Ａとなっており、この載置部１１Ａには、径方向外側に向けて開口する平面視で矩形状の開口部１１Ｂが周方向に間隔をあけて２つ形成されている。これら開口部１１Ｂは、平面視でボトル軸Ｏを径方向で挟む両側に形成されている。また、載置部１１Ａには、２つの開口部１１Ｂを周方向で各別に挟み、径方向外側に向けて開口する２対のスリット１１Ｃが形成されている。
内筒部１２は、天壁部１１の外周縁よりも径方向内側に配設されており、内筒部１２の内周面には、口部２の雄ネジ部と螺合する雌ネジ部が形成されている。
【００２０】
操作片１３は、天壁部１１に対して上下両方向に突出する板状部材であり、天壁部１１の外周縁形状に沿って湾曲している。また、操作片１３は、１つの開口部１１Ｂを周方向で挟む一対のスリット１１Ｃ間に配設されており、操作片１３の上下方向の中間部における周方向の両端部は、天壁部１１のうち開口部１１Ｂとこの開口部１１Ｂに周方向で隣り合うスリット１１Ｃとの間の周方向部分に対して回動可能に連結されている。
【００２１】
さらに、操作片１３の上下方向かつ周方向の中間部には、径方向内側に向けて突出する平面視で矩形板状である舌片１５が形成されている。舌片１５は、開口部１１Ｂ内に収容されており、舌片１５の上下両面は、天壁部１１の上下両面それぞれと面一にされている。そのため、舌片１５は、天壁部１１と共に平面視で円形板状の外観を形成している。舌片１５の上面には、天壁部１１の上面と同様に、他のボトル１の底部５の接地部９Ａが載置可能となっている。
また、操作片１３の上端部には、径方向内側に向けて突出し、他のボトル１の胴部４に形成された係止凹部４Ａと係止する係止突部（被係止部）１３Ａが形成されている。
【００２２】
周壁部１４は、天壁部１１に対して上下両方向に突出する板状部材であり、天壁部１１の外周縁形状に沿って湾曲している。また、周壁部１４は、周方向で隣り合う２つの操作片１３間の周方向間隔のほぼ全長にわたって延在している。これら２つの周壁部１４の外周面及び２つの操作片１３の外周面それぞれのボトル軸Ｏからの径方向の距離は、互いに同等とされている。また、周壁部１４の上端は、操作片１３の上端と同等に位置しており、周壁部１４の下端は、操作片１３の下端よりも下方に位置している。このように、周壁部１４は、操作片１３と共に肩部３を径方向外側から囲繞する円筒状の外観を形成している。なお、周壁部１４が操作片１３と共に形成する円筒形状の外径は、胴部４のうち下端部よりも上側部分の外径と同等となっており、内径は、胴部４の下端部及び底部５の外径と同等となっている。
【００２３】
以上のような構成のボトル１は、図２に示すように、上下方向に積み重ね可能となっている。互いに積み重ねられた一対のボトル１Ａ、１Ｂのうち、下側のボトル１Ａの上には、上側のボトル（他のボトル）１Ｂが積み重ねられる。ボトル１Ｂの胴部４の下端部及び底部５は、ボトル１Ａのキャップ７のうち天壁部１１よりも上側の部分に進入し、底部５の接地部９Ａは、天壁部１１の載置部１１Ａ上に載置される。ボトル１Ｂをボトル１Ａのキャップ７内に進入させていくと、キャップ７の操作片１３の上端部は、径方向外側に向けて弾性変形し、係止突部１３Ａは、ボトル１Ｂの底部５を乗り越え、ボトル１Ｂの胴部４に形成された係止凹部４Ａに係止される。なお、操作片１３それぞれの下端部を径方向内側に押し込み、操作片１３の上端部を径方向外側へ変位させた状態でボトル１Ｂの胴部４の下端部及び底部５をボトル１Ａのキャップ７内に進入させてもよい。
これにより、ボトル１Ｂのボトル１Ａに対する上下方向の相対変位が規制される。また、ボトル１Ａのキャップ７の操作片１３及び周壁部１４がボトル１Ｂの胴部４の下端部及び底部５を径方向外側から囲むので、ボトル１Ｂのボトル１Ａに対する径方向の相対変位が規制される。
【００２４】
ボトル１Ｂをボトル１Ａから離脱させる際には、図３に示すように、ボトル１Ａの操作片１３それぞれの下端部を径方向内側に押し込むと、操作片１３が天壁部１１との連結部分を中心として回動し、係止突部１３Ａを径方向外側に変位する。これにより、係止突部１３Ａとボトル１Ｂの係止凹部４Ａから離反し、両者の係止状態が解除される。ここで、ボトル１Ａの操作片１３それぞれの下端部を径方向内側に押し込むと、操作片１３が舌片１５と共に天壁部１１との連結部分を中心として上方に回動するので、ボトル１Ｂの底部５を押し上げてボトル１Ｂの離脱を補助する。その後、ボトル１Ｂをボトル１Ａに対して引き上げてボトル１Ｂをボトル１Ａから離脱させる。
なお、操作片１３の下端が周壁部１４の下端よりも上方に位置しているため、操作片１３を天壁部１１に対して回動させたときに操作片１３の下端がボトル１Ａの肩部３と干渉して操作片１３の回動動作が阻害されることが回避される。また、操作片１３の下端部を径方向内側に押し込む以外の方法によってボトル１Ａの係止突部１３Ａをボトル１Ｂの係止凹部４Ａから離反させてもよい。
以上のようにして、ボトル１Ｂをボトル１Ａに対して着脱させる。
【００２５】
以上、本実施形態にかかるボトル１によれば、積み重ねた状態で上側のボトル１Ｂの下側のボトル１Ａに対する相対変位を規制するので、ボトル１Ａ、１Ｂを安定して積み重ねることができると共に、操作片１３のうち天壁部１１よりも下側部分を径方向内側に押し込むだけでボトル１Ｂをボトル１Ａに対して離脱させることが可能となるので、積み重ね時のボトル１Ａ、１Ｂの着脱性が向上する。
また、操作片１３の上端部を径方向外側に回動させたときに舌片１５がボトル１Ｂの底部５を押し上げるので、ボトル１Ｂの離脱がより容易になる。
さらに、操作片１３の両周端部が天壁部１１に連結されているので、操作片１３及び舌片１５の回動動作が安定する。
その上、周壁部１４が操作片１３と共に円筒状の外観を形成してボトル１Ａ、１Ｂを積み重ねたときの外観の審美性が向上すると共に、ボトル１Ａ、１Ｂ間の径方向の相対変位を抑制してボトル１Ａ、１Ｂをより安定して積み重ねることができる。
【００２６】
なお、本発明は上記実施形態に限定されるものではなく、本発明の趣旨を逸脱しない範囲において種々の変更を加えることができる。
例えば、操作片には、舌片が設けられているが、舌片が設けられていなくてもよい。
操作片は、両周端部が天壁部に回動可能に連結されているが、操作片の少なくとも一部が天壁部に対して連結されていればよく、他の構造により天壁部に回動可能に連結されてもよい。また、操作片は、ボトル軸を径方向で挟む両側に形成されているが、操作片の被係止部が積み重ねたときに上側のボトルの係止部と係止可能であれば、他の位置に形成されてもよい。さらに、操作片は、天壁部よりも上方に突出していればよく、天壁部の上下両方向に突出している必要はない。
操作片及び係止突部は、キャップに１以上形成されていればよい。
係止凹部は、胴部の全周にわたって形成されているが、周方向で下側のキャップにおける操作片の係止突部と係止できれば、胴部の全周にわたって形成されている必要はない。
胴部に係止凹部が形成されていると共に操作片に係止突部が形成されているが、胴部に係止突部を形成すると共に操作片に係止凹部を形成するなど、係止部及び被係止部の構造を適宜変更してもよい。
舌片及び開口部の平面視形状は、矩形状に限らず、他の形状であってもよい。また、舌片の上下両面は、天壁部の上下両面それぞれと面一に形成されていなくてもよい。
キャップには、周壁部が形成されているが、周壁部が形成されていなくてもよい。また、周壁部は、周方向で隣り合う操作片同士の間に位置して操作片と共に円筒状の外観を形成するように配設されているが、天壁部の外周縁部のうち周方向で操作片を回避した位置に形成されていればよく、円筒状の外観を形成しないように配設されてもよい。さらに、周壁部は、その外周面が操作片の外周面とボトル軸からの距離を同等となるように配設されているが、同等とならないように配設されてもよい。
ボトル本体及びキャップは、横断面が円状となるように形成されているが、矩形状など、他の形状であってもよい。また、ボトルの底部には、接地部が形成されていればよく、陥没部が形成されていない形状であってもよい。
ボトル本体の胴部には、ボトル本体の剛性、減圧吸収量及び取り扱い性の向上を目的として、例えば周溝や縦溝、パネル部またはグリップ用凹部などを形成してもよい。
【産業上の利用可能性】
【００２７】
この発明によれば、積み重ねの安定性及び積み重ね時の着脱性を向上させたボトルに関して、産業上の利用可能性が認められる。
【符号の説明】
【００２８】
１，１Ａ  ボトル、１Ｂ  ボトル（他のボトル）、２  口部、３  肩部、４  胴部、４Ａ  係止凹部（係止部）、５  底部、７  キャップ、９  底壁部、９Ａ  接地部、１１  天壁部、１１Ａ  載置部、１１Ｂ  開口部、１３  操作片、１３Ａ  係止突部（被係止部）、１４  周壁部、１５  舌片
【図１】
0006670651.tif 000002
【図２】
0006670651.tif 000003
【図３】
0006670651.tif 000004